(57)【要約】【課題】訪問者をより確実に確認することができるインターホンシステムを提供する。【解決手段】インターホンシステム１０は、インターホン玄関装置２０とは別途設置される撮像装置３０が撮像した画像を取得する取得部４１と、インターホン玄関装置２０が撮像した画像と、撮像装置３０が撮像した画像とを関連付けて呼び出し可能な状態で記憶する記憶部４４とを備える。【選択図】図１
2019193231.tif 000002
【特許請求の範囲】
【請求項１】
インターホン玄関装置とは別途設置される撮像装置が撮像した画像を取得する取得部と、
前記インターホン玄関装置が撮像した画像と、前記撮像装置が撮像した画像とを関連付けて呼び出し可能な状態で記憶する記憶部とを備える
インターホンシステム。
【請求項２】
前記撮像装置の撮像範囲は、前記インターホン玄関装置の撮像部の撮像範囲と異なる範囲を有する
請求項１に記載のインターホンシステム。
【請求項３】
前記撮像装置は、訪問者が前記インターホン玄関装置に至るまでの経路において、前記インターホン玄関装置よりも前記経路の手前側を撮像可能に設置される
請求項１または２に記載のインターホンシステム。
【請求項４】
前記インターホン玄関装置が撮像した画像に関連付けて呼び出し可能な状態で記憶された、前記撮像装置が撮像した画像は、前記インターホン玄関装置が所定の動作を行った時点から所定期間内に前記撮像装置が撮像した画像である
請求項１〜３のいずれか１項に記載のインターホンシステム。
【請求項５】
前記所定の動作は、前記インターホン玄関装置の撮像の開始を含む
請求項４に記載のインターホンシステム。
【請求項６】
前記所定の動作は、前記インターホン玄関装置が設置された空間における訪問者の検知を含む
請求項４または５に記載のインターホンシステム。
【請求項７】
前記所定の動作は、前記インターホン玄関装置に対する操作の受付を含む
請求項４〜６のいずれか１項に記載のインターホンシステム。
【請求項８】
前記所定期間を設定する設定部を、さらに備える
請求項４〜７のいずれか１項に記載のインターホンシステム。
【請求項９】
前記インターホン玄関装置が撮像した画像に関連付けて呼び出し可能な状態で記憶された、前記撮像装置が撮像した画像は、前記インターホン玄関装置が撮像した画像に含まれる訪問者または当該訪問者の顔に関連性のある訪問者または当該訪問者の顔を含む画像である
請求項１〜３のいずれか１項に記載のインターホンシステム。
【請求項１０】
インターホン玄関装置が撮像した画像および前記インターホン玄関装置とは別途設置される撮像装置が撮像した画像を表示する表示部を備え、
前記表示部は、前記インターホン玄関装置が撮像した画像を表示した状態において、所定の操作を受け付けたとき、前記インターホン玄関装置が撮像した画像に関連付けられた、前記撮像装置が撮像した画像を表示する
情報端末。
【請求項１１】
前記所定の操作は、前記表示部に、前記インターホン玄関装置が撮像した１以上の画像の一覧を表示した状態において、いずれかの画像を選択する操作である
請求項１０に記載の情報端末。
【請求項１２】
前記表示部は、前記インターホン玄関装置が撮像した画像と、前記インターホン玄関装置が撮像した画像に関連付けられた、前記撮像装置が撮像した画像とを共に表示する
請求項１０または１１に記載の情報端末。
【請求項１３】
前記表示部は、前記インターホン玄関装置が撮像した画像と、前記インターホン玄関装置が撮像した画像よりも過去の時点に前記撮像装置が撮像した画像とを共に表示する
請求項１２に記載の情報端末。
【請求項１４】
前記撮像装置が撮像した画像は動画像であり、
前記表示部は、前記動画像を早送り表示する
請求項１０〜１３のいずれか１項に記載の情報端末。
【請求項１５】
前記撮像装置が撮像した画像は動画像であり、
前記表示部は、前記動画像を繰り返し表示する
請求項１０〜１４のいずれか１項に記載の情報端末。
【発明の詳細な説明】
【技術分野】
【０００１】
本発明は、インターホンシステム、および、当該インターホンシステムが備える情報端末に関する。
【背景技術】
【０００２】
特許文献１には、集合住宅で用いられるインターホンシステムが開示されている。
【先行技術文献】
【特許文献】
【０００３】
【特許文献１】特開２０１７−１０８３４２号公報
【発明の概要】
【発明が解決しようとする課題】
【０００４】
ところで、インターホンシステムが備えるインターホン玄関装置（ロビーインターホン）が有するカメラにあえて映らないようにして呼び出しを行う訪問者がいる。この場合、住居の居住者は、住居に設置されているインターホン親機（情報端末）の表示部に訪問者が映らないので、誰が訪問して来たのか確認できない。このような場合であっても、表示部には、訪問者が映されることが望まれる。
【０００５】
本発明は、訪問者をより確実に確認することができるインターホンシステム、および、情報端末を提供する。
【課題を解決するための手段】
【０００６】
本発明の一態様に係るインターホンシステムは、インターホン玄関装置とは別途設置される撮像装置が撮像した画像を取得する取得部と、前記インターホン玄関装置が撮像した画像と、前記撮像装置が撮像した画像とを関連付けて呼び出し可能な状態で記憶する記憶部とを備える。
【０００７】
本発明の一態様に係る情報端末は、インターホン玄関装置が撮像した画像および前記インターホン玄関装置とは別途設置される撮像装置が撮像した画像を表示する表示部を備え、前記表示部は、前記インターホン玄関装置が撮像した画像を表示した状態において、所定の操作を受け付けたとき、前記インターホン玄関装置が撮像した画像に関連付けられた、前記撮像装置が撮像した画像を表示する。
【発明の効果】
【０００８】
本発明によれば、訪問者をより確実に確認することができるインターホンシステム、および、情報端末が実現される。
【図面の簡単な説明】
【０００９】
【図１】実施の形態に係るインターホンシステムの機能構成を示すブロック図である。
【図２】実施の形態に係るロビーインターホンの正面図である。
【図３】実施の形態に係るインターホン親機の正面図である。
【図４】実施の形態に係るインターホンシステムの設置例を示す模式図である。
【図５】実施の形態に係るインターホンシステムの動作の一例を示すシーケンス図である。
【図６】実施の形態に係るロビーインターホンが撮像した画像と、撮像装置が撮像した画像との関連付けの一例を示す図である。
【図７Ａ】実施の形態に係るインターホン親機の表示部に表示されるライブ画像の一例を示す図である。
【図７Ｂ】実施の形態に係るインターホン親機の表示部に表示される合成画像の一例を示す図である。
【図８Ａ】実施の形態に係るインターホン親機の表示部に表示される合成画像の他の一例を示す図である。
【図８Ｂ】実施の形態に係るインターホン親機の表示部に表示される合成画像の他の一例を示す図である。
【図９】実施の形態に係るインターホンシステムの動作の他の一例を示すシーケンス図である。
【図１０】実施の形態の変形例に係るインターホン親機の表示部に表示される合成画像の一例を示す図である。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
なお、以下の明細書において、画像は、動画像（映像）である例について説明するが、静止画像であってもよい。また、画像は、文字及び数字などが含まれていてもよい。動画像は、複数の静止画像によって構成される。
【００１３】
（実施の形態）
以下、本実施の形態に係るインターホンシステムおよび情報端末について、図１〜図９を参照しながら説明する。
【００１４】
［１．インターホンシステムの構成］
まず、本実施の形態に係るインターホンシステムの構成について、図１〜図４を参照しながら説明する。
【００１５】
図１は、本実施の形態に係るインターホンシステム１０の機能構成を示すブロック図である。
【００１６】
本実施の形態に係るインターホンシステム１０は、集合住宅に設けられるインターホンシステムである。集合住宅は、施設の一例である。図１に示されるように、インターホンシステム１０は、ロビーインターホン２０と、撮像装置３０と、カメラアダプタ４０と、制御装置５０と、インターホン親機６０と、インターホン子機７０とを備える。インターホンシステム１０が備える各種構成要素は、例えば、集合住宅内に設置される。図１では、インターホン親機６０及びインターホン子機７０が１組だけ図示されているが、インターホンシステム１０は、実際には、集合住宅内の住居の数に応じて複数組のインターホン親機６０及びインターホン子機７０を備える。
【００１７】
ロビーインターホン２０は、インターホン玄関装置の一例であり、集合住宅の玄関などの集合住宅の共用スペースに設置される。ロビーインターホン２０について、図１および図２を参照しながら説明する。
【００１８】
図２は、本実施の形態に係るロビーインターホン２０の正面図である。ロビーインターホン２０は、操作受付部２１と、撮像部２２と、センサ部２３と、表示部２４と、通話部２５と、制御部２６と、通信部２７と、記憶部２８とを備える。
【００１９】
操作受付部２１は、訪問者の操作を受け付けるユーザインターフェースである。操作受付部２１は、具体的には、集合住宅内の特定の住居の居住者を呼び出すための呼出操作を受け付ける。操作受付部２１は、タッチパネルまたはハードウェアボタン（例えば、テンキー）などによって実現される。
【００２０】
撮像部２２は、訪問者の画像を撮像する。撮像部２２は、例えば、図２に示されるロビーインターホン２０の本体に取り付けられ、ロビーインターホン２０の前方に位置する訪問者の画像を撮像する。撮像部２２は、ロビーインターホン２０の本体と一体に設けられる。撮像部２２は、ＣＭＯＳイメージセンサまたはＣＣＤイメージセンサを備えるカメラによって実現される。
【００２１】
センサ部２３は、訪問者を検知する。センサ部２３は、例えば、図２に示されるロビーインターホン２０の本体に取り付けられ、ロビーインターホン２０の前方に位置する訪問者を検知する。なお、センサ部２３は、ロビーインターホン２０の本体とは別体であってもよい。この場合、センサ部２３は、例えば、集合住宅の玄関の天井に取り付けられ、ロビーインターホン２０の本体の周辺にいる訪問者を検知する。センサ部２３は、赤外線（熱線）または超音波を用いた人感センサなどによって実現される。
【００２２】
表示部２４は、制御部２６の制御に基づいて撮像部２２によって撮像された画像を表示する。表示部２４が撮像部２２によって撮像された画像を表示することで、訪問者は自身が撮像されていることを知ることができる。表示部２４は、液晶パネルまたは有機ＥＬパネルなどによって実現される。
【００２３】
通話部２５は、インターホン親機６０を介して居住者と通話するための装置である。通話部２５は、訪問者の音声を収音し、収音した音声を表す音声信号を制御部２６へ出力する入音部２５ａ、および、通信部２７を介して取得された音声信号が示す音声を出音する出音部２５ｂとを有する。入音部２５ａは、例えば、マイクロフォンなどにより実現される。また、出音部２５ｂは、例えば、スピーカなどにより実現される。
【００２４】
制御部２６は、ロビーインターホン２０が備える各種構成要素を制御する。制御部２６は、操作受付部２１によって呼出操作が受け付けられた場合に、インターホン親機６０を作動させるための作動指令、及び、撮像部２２によって撮像された画像の画像信号（映像信号）を通信部２７に送信させる。制御部２６は、操作受付部２１が訪問者から操作を受け付けたことをトリガとして、撮像部２２に撮像を開始させてもよいし、センサ部２３が人を検知したことをトリガとして、撮像部２２に撮像を開始させてもよい。制御部２６は、例えば、マイクロコンピュータまたはプロセッサによって実現される。
【００２５】
通信部２７は、制御部２６の制御に基づいて作動指令及び画像信号を送信する。作動指令及び画像信号は、呼出操作によって特定される住居に設けられたインターホン親機６０あてに送信される。通信部２７は、例えば、通信回路によって実現される。
【００２６】
記憶部２８は、制御部２６が実行する制御プログラムが記憶される記憶装置である。また、記憶部２８は、撮像部２２が撮像した画像を記憶してもよい。記憶部２８は、例えば、半導体メモリなどによって実現される。
【００２７】
図１を再び参照して、撮像装置３０は、ロビーインターホン２０が備える撮像部２２とは別体に設けられ、訪問者の画像を撮像する。撮像装置３０は、ＣＭＯＳイメージセンサまたはＣＣＤイメージセンサを備えるカメラである。撮像装置３０は、例えば、集合住宅の玄関などに設置される防犯カメラであってもよい。また、撮像装置３０は、集合住宅の内部に設置されていてもよく、外部に設置されていてもよい。撮像装置３０は、例えば、集合住宅の外部（例えば、集合住宅の外壁）に設置され、集合住宅に入ってくる訪問者を撮像するカメラであってもよい。なお、インターホンシステム１０は、撮像装置３０を複数備えていてもよい。
【００２８】
カメラアダプタ４０（サーバ装置）は、撮像装置３０が撮像した画像を取得し、記憶し、出力する。カメラアダプタ４０は、画像入力部４１と、制御部４２と、通信部４３と、記憶部４４とを備える。
【００２９】
画像入力部４１は、撮像装置３０が撮像した画像を取得する。画像入力部４１は、例えば、撮像装置３０から当該撮像装置３０により撮像された画像がリアルタイムに入力される。つまり、画像入力部４１は、撮像装置３０が撮像した画像を常時取り込む。画像入力部４１は、例えば、通信回路によって実現される。画像入力部４１は、撮像装置３０が撮像した画像を取得する取得部の一例である。
【００３０】
制御部４２は、カメラアダプタ４０が備える各種構成要素を制御する制御装置である。制御部４２は、画像入力部４１が取得した画像を記憶部４４に記録する。また、制御部４２は、ロビーインターホン２０から撮像装置３０が撮像した画像を送信する要求を取得すると、当該画像をロビーインターホン２０あてに送信する制御を行う。制御部４２は、例えば、マイクロコンピュータまたはプロセッサによって実現される。
【００３１】
通信部４３は、制御部４２の制御に基づいて画像信号を送信する。通信部４３は、撮像装置３０が撮像した画像に対応する画像信号を送信する。本実施の形態では、画像信号は、ロビーインターホン２０あてに送信される。通信部４３は、例えば、通信回路によって実現される。
【００３２】
記憶部４４は、画像入力部４１が取得した画像を記憶する記憶装置である。具体的には、記憶部４４は、ロビーインターホン２０が備える撮像部２２とは別途設置される撮像装置３０が撮像した画像を記憶する。詳細は後述するが、記憶部４４は、撮像部２２が撮像した画像と、撮像装置３０が撮像した画像とを関連付けて呼び出し可能な状態で記憶する。記憶部４４は、例えば、過去数分間に撮像装置３０から取得した画像を記憶する。また、記憶部４４には、制御部４２が実行する制御プログラムが記憶される。記憶部４４は、例えば、半導体メモリによって実現される。ここで、関連付けとは、撮像部２２が撮像した画像と、撮像装置３０が撮像した画像の少なくとも一部とを１対１に対応付ける処理である。
【００３３】
制御装置５０は、上記のような作動指令および画像信号の中継を制御する。制御装置５０は、ロビーインターホン２０、カメラアダプタ４０、及び、インターホン親機６０と通信可能に接続されている。また、制御装置５０は、集合住宅の管理室に設置される管理室親機（図示しない）と接続されていてもよい。制御装置５０は、例えば、通信部５１と、制御部５２と、記憶部５３とを備える。
【００３４】
通信部５１は、制御部５２の制御に基づいて、ロビーインターホン２０の通信部２７から送信される作動指令及び画像信号を受信し、受信された作動指令及び画像信号を呼出操作が行われた居室のインターホン親機６０に送信する。また、通信部５１は、カメラアダプタ４０の通信部４３から送信される画像信号を受信し、受信された画像信号をロビーインターホン２０に送信する。なお、通信部２７によって送信される作動指令及び画像信号、並びに、通信部４３から送信される画像信号が通信部５１によって中継されることは必須ではない。例えば、作動指令及び画像信号は、ロビーインターホン２０からインターホン親機６０に直接送信されてもよい。通信部５１は、例えば、通信回路によって実現される。
【００３５】
制御部５２は、上記のような作動指令及び画像信号の中継を制御する。制御部５２は、例えば、マイクロコンピュータまたはプロセッサによって実現される。
【００３６】
記憶部５３は、制御部５２が実行する制御プログラムが記憶される記憶装置である。記憶部５３は、例えば、半導体メモリによって実現される。
【００３７】
インターホン親機６０は、情報端末の一例であり、集合住宅内の複数の住居に１台ずつ設けられ、撮像部２２によって撮像された画像が表示される装置である。インターホン親機６０について、図１および図３を参照しながら説明する。
【００３８】
図３は、本実施の形態に係るインターホン親機６０の正面図である。インターホン親機６０は、通信部６１と、制御部６２と、表示部６３と、通話部６４（具体的には、入音部６４ａおよび出音部６４ｂ）と、入力受付部６５と、記憶部６６とを備える。
【００３９】
通信部６１は、制御装置５０から作動指令、及び、映像信号を取得する。通信部６１は、例えば、通信回路によって実現される。
【００４０】
制御部６２は、通信部６１によって取得された作動指令及び映像信号に基づいて、表示部６３に当該映像信号に対応する映像を表示させる。制御部６２は、通信部６１によって取得された作動指令に基づいて、出音部６４ｂに呼出音を出音させる。また、制御部６２は、現在の年月日を計時するリアルタイムクロック機能を有していてもよい。制御部６２は、例えば、マイクロコンピュータまたはプロセッサによって実現される。
【００４１】
表示部６３は、制御部６２の制御に基づいて、撮像部２２などによって撮像された画像を表示する。表示部６３は、撮像部２２が撮像した画像および撮像装置３０が撮像した画像の少なくとも一方を表示する。表示部６３は、撮像部２２が撮像した画像および撮像装置３０が撮像した画像を共に表示してもよい。表示部６３は、液晶パネルまたは有機ＥＬパネルなどによって実現される。
【００４２】
通話部６４は、ロビーインターホン２０を介して訪問者と通話するための装置である。通話部６４は、居住者の音声を収音し、収音した音声を表す音声信号を制御部６２へ出力する入音部６４ａ、および、通信部６１を介して取得された音声信号が示す音声を出音する出音部６４ｂとを有する。入音部６４ａは、例えば、マイクロフォンなどにより実現される。また、出音部６４ｂは、例えば、スピーカなどにより実現される。
【００４３】
入力受付部６５は、住居の居住者の操作を受け付けるユーザインターフェースである。入力受付部６５は、呼出操作を行った訪問者に応答するための操作を受け付ける。入力受付部６５は、タッチパネルまたはハードウェアボタンなどによって実現される。
【００４４】
記憶部６６は、制御部６２が実行する制御プログラムが記憶される記憶装置である。記憶部６６には、通信部６１によって受信された画像信号がバッファされてもよい。記憶部６６は、半導体メモリなどによって実現される。
【００４５】
インターホン子機７０は、住居の玄関に設置される、いわゆるドアホンである。詳細については図示されないが、インターホン子機７０は、訪問者が押す呼出ボタン、呼出ボタンを押した訪問者の画像を撮像する撮像部などを備える。インターホン子機７０は、インターホン親機６０と直接接続されている。
【００４６】
ここで、ロビーインターホン２０および撮像装置３０の設置例について、図４を参照しながら説明する。
【００４７】
図４は、本実施の形態に係るインターホンシステム１０の設置例を示す模式図である。具体的には、図４は、集合住宅の共用スペースである玄関１００に設置される、ロビーインターホン２０および撮像装置３０の設置例を示す平面図である。
【００４８】
図４に示すように、玄関１００は、壁１１０と、訪問者が外部から玄関１００に入るためのドアである入口ドア１２０と、玄関１００から各居住エリアへの立ち入りを制限する機能を有するドアであるオートロックドア１３０とにより形成される。オートロックドア１３０は、居住者がインターホン親機６０の入力受付部６５を操作することにより開閉可能である。
【００４９】
ロビーインターホン２０は、玄関１００において、入口ドア１２０およびオートロックドア１３０のうち、オートロックドア１３０側に設置される。撮像部２２は、ロビーインターホン２０の前方の領域である撮像範囲Ｒ１を撮像する。
【００５０】
撮像装置３０は、訪問者がロビーインターホン２０に至るまでの動線ｆにおいて、ロビーインターホン２０よりも動線ｆの手前側（例えば、集合住宅の外部側）を撮像可能に設置される。図４では、撮像装置３０がロビーインターホン２０よりも動線ｆの手前側（集合住宅の外部側）に設置されている例を示す。なお、集合住宅の外部側を撮像可能に設置されるとは、集合住宅の外壁に設置されることを含む。つまり、撮像装置３０は、入口ドア１２０に入る前の訪問者を撮像してもよい。このように設置された撮像装置３０の撮像範囲Ｒ２は、撮像範囲Ｒ１とは異なる範囲を有する。撮像範囲Ｒ１と撮像範囲Ｒ２とは、一部が重複していてもよい。
【００５１】
なお、動線ｆとは、集合住宅の外部から入口ドア１２０を経由してロビーインターホン２０に至るまでに訪問者が通ると想定される経路を線で表したものである。図４では、玄関１００の外部から直線状に歩いて、ロビーインターホン２０の手前でロビーインターホン２０側に曲がった経路を示しているが、これに限定されない。動線ｆは、集合住宅の構造（具体的には、集合住宅の外部からロビーインターホン２０に至るまでの構造）により適宜決定されればよい。
【００５２】
なお、センサ部２３が訪問者を検知可能な検知範囲は、例えば、撮像部２２が撮像可能な撮像範囲Ｒ１より広い範囲であってもよい。
【００５３】
［２．インターホンシステムの動作］
次に、本実施の形態に係るインターホンシステム１０の動作について、図５〜図９を参照しながら説明する。
【００５４】
図５は、本実施の形態に係るインターホンシステム１０の動作の一例を示すシーケンス図である。
【００５５】
図５に示すように、ロビーインターホン２０は、訪問者からの呼出操作を取得すると、撮像を開始する（Ｓ１１）。具体的には、制御部２６は、操作受付部２１が訪問者からの呼出操作を取得すると、撮像部２２を制御し撮像を開始する。
【００５６】
また、ロビーインターホン２０は、カメラアダプタ４０およびインターホン親機６０に呼出操作に対応する信号を送信する（Ｓ１２）。具体的には、ロビーインターホン２０の制御部２６は、通信部２７を介してカメラアダプタ４０に呼出操作を受け付けたこと示す信号を送信する。なお、当該信号には、呼出操作が行われた住居を特定する情報（例えば、居室番号）が含まれてもよい。また、制御部２６は、通信部２７を介してインターホン親機６０に作動指令および画像信号を送信する。なお、ここでの画像信号は、ロビーインターホン２０の撮像部２２が撮像した画像に対応する画像信号である。言い換えると、当該画像信号に、撮像装置３０が撮像した画像に対応する画像信号は含まれていない。また、作動指令は、呼出操作が受け付けられたことをトリガとしてロビーインターホン２０から送信される。
【００５７】
カメラアダプタ４０は、制御装置５０を介してロビーインターホン２０が呼出操作を取得したことを示す信号を受信する（Ｓ１３）と、撮像装置３０から取得した画像を当該呼出操作に関連付けて記憶する（Ｓ１４）。
【００５８】
図６は、本実施の形態に係るロビーインターホン２０が撮像した画像と、撮像装置３０が撮像した画像との関連付けの一例を示す図である。図６に示す静止画像Ｉ１は、ロビーインターホン２０の撮像部２２が撮像した画像に含まれる。静止画像Ｉ１を含む複数の静止画像により、撮像部２２が撮像した画像（動画像）が構成される。また、図６に示す静止画像Ｃ０〜Ｃｎ＋１は、カメラアダプタ４０が撮像装置３０から受信した画像に含まれる。静止画像Ｃ０〜Ｃｎを含む複数の静止画像により、撮像装置３０が撮像した画像（動画像）が構成される。静止画像Ｃ０〜Ｃｎは、ロビーインターホン２０が呼出操作を取得するより前に、撮像装置３０から受信した画像である。言い換えると、静止画像Ｃ０〜Ｃｎは、ロビーインターホン２０が呼出操作を取得する以前に撮像された画像である。なお、カメラアダプタ４０は、ロビーインターホン２０の呼出操作の有無に関わらず、撮像装置３０から当該撮像装置３０が撮像した画像を受信し、記憶する。
【００５９】
図６に示すように、カメラアダプタ４０は、ロビーインターホン２０において呼出操作が行われ撮像部２２の撮像が開始される（Ｓ１１）と、記憶部４４に記憶している画像と、撮像部２２が撮像した画像とを関連付ける（Ｓ１４）。具体的には、制御部４２は、ロビーインターホン２０から呼出操作を取得したことを示す信号を受信すると、記憶部４４に記憶されている画像の中から、当該信号を受信した時点から所定期間遡った間に撮像装置３０から取得した画像（例えば、静止画像Ｃ１〜Ｃｎから構成される画像）を、当該呼出操作をトリガとして撮像された画像（例えば、静止画像Ｉ１を含む画像）と関連付けて記憶する。ロビーインターホン２０の撮像部２２が撮像した画像に関連付けて記憶された、撮像装置３０が撮像した画像は、ロビーインターホン２０が呼出操作を行った時点から所定期間前に撮像装置３０が撮像した画像である。
【００６０】
これにより、撮像装置３０が撮像した画像を、撮像部２２が撮像した画像に関連付けて呼び出し可能な状態で記憶部４４に記憶することができる。言い換えると、記憶部４４は、撮像部２２が撮像した画像と、撮像装置３０が撮像した画像とを関連付けて呼び出し可能な状態で記憶する。また、所定期間は、記憶部４４が記憶している画像（すなわち、撮像装置３０が撮像した画像）のうち、撮像部２２が撮像した画像と関係付けられて呼び出し可能な状態で記憶されている画像の期間である。なお、所定期間は、呼出操作を取得した時点を含んでいなくてもよい。所定期間は、呼出操作を取得した時点から過去の時点における期間であって、呼出操作を取得した時点を含んでいなくてもよい。
【００６１】
制御部４２は、操作受付部２１が呼出操作を取得してから撮像部２２が撮像した画像と撮像装置３０から取得した画像とを関連付けて記憶する。また、ロビーインターホン２０が操作受付部２１を介して訪問者から呼出操作を受け付けることは、ロビーインターホン２０が行う所定の動作の一例である。なお、所定の動作は、呼出操作の受付に限定されない。例えば、所定の動作は、ロビーインターホン２０の撮像部２２が撮像を開始することであってもよい。また、撮像部２２が撮像した画像に関連付けて記憶された画像（例えば、静止画像Ｃ１〜Ｃｎ）は、プレイバック画像の一例である。
【００６２】
図６では、所定期間は、過去（例えば、呼出操作を取得してから３０秒前）から呼出操作を取得するまでの期間である例を示しているが、これに限定されない。所定期間は、例えば、呼出操作を取得する３０秒前から２０秒前までの間などの期間であってもよい。なお、所定期間とは、予め設定される値であり、撮像装置３０が撮像する撮像範囲Ｒ２と、当該撮像範囲Ｒ２からロビーインターホン２０までの距離などに応じて決定される。所定期間は、例えば、入力受付部６５を介して予め居住者により設定されてもよい。入力受付部６５は、所定期間を設定するための設定部としての機能を有してもよい。
【００６３】
図５を再び参照して、インターホン親機６０は、作動指令を受信する（Ｓ１５）ことで動作する。具体的には、制御部６２は、通信部６１によって取得された作動指令に基づいて、出音部６４ｂに呼出音を出音させる。また、制御部６２は、通信部６１によって取得された画像信号に基づいて表示部６３に画像を表示させる（Ｓ１６）。ステップＳ１６では、表示部６３は、集合住宅に設けられたインターホンシステム１０に対する訪問者の呼出操作に基づいて、ロビーインターホン２０の撮像部２２が撮像した画像を表示する。画像は、ほぼリアルタイムで表示される。なお、制御部６２は、表示部６３に表示させた画像を記憶部６６に記憶させてもよい。
【００６４】
図７Ａは、本実施の形態に係るインターホン親機６０の表示部６３に表示されるライブ画像の一例を示す図である。ここで、ライブ画像とは、ロビーインターホン２０の撮像部２２又は撮像装置３０が撮像した画像であり、現時点の画像（言い換えると、最新の画像）である。図７Ａでは、ロビーインターホン２０の撮像部２２が撮像したライブ画像を示している。
【００６５】
図７Ａに示すように、表示部６３に表示されるライブ画像には、訪問者は映っていない。例えば、訪問者が撮像部２２の撮像範囲Ｒ１の外にいる場合に、起こりうる。なお、図７Ａには、オートロックドア１３０が映っているが、オートロックドア１３０は映っていなくてもよい。
【００６６】
図５を再び参照して、居住者は誰が訪問してきたかを知るために、プレイバック画像（例えば、図６に示す静止画像Ｃ１〜Ｃｎ）を視聴する操作を行う。具体的には、居住者は、入力受付部６５を操作して、プレイバック画像を表示する操作を行う。制御部６２は、入力受付部６５がプレイバック画像の呼出操作を取得する（Ｓ１７）と、プレイバック画像の呼出を通信部６１を介してロビーインターホン２０に送信する（Ｓ１８）。なお、制御部６２は、表示部６３にプレイバック映像を呼出中であることを示す表示をさせてもよい。制御部６２は、例えば、撮像部２２が撮像した画像にプレイバック画像を呼出中であることを示す情報を重畳して表示させてもよい。
【００６７】
ロビーインターホン２０は、ステップＳ１８でインターホン親機６０から送信されたプレイバック画像の呼出を受信する（Ｓ１９）。制御部２６は、通信部２７を介してプレイバック画像の呼出を受信すると、通信部２７を介してカメラアダプタ４０にプレイバック画像の要求を送信する（Ｓ２０）。プレイバック画像の要求とは、カメラアダプタ４０が記憶しているプレイバック画像をロビーインターホン２０に送信させる要求である。プレイバック画像の要求には、表示部６３に表示されている画像と関係付けられているプレイバック画像を特定するための情報が含まれる。プレイバック画像の要求には、例えば、撮像部２２が撮像した画像（例えば、図６に示す静止画像Ｉ１を含む画像）に関する情報などが含まれてもよい。また、プレイバック画像の要求には、現在呼出操作が行われた住居を特定する情報が含まれていてもよい。
【００６８】
カメラアダプタ４０は、プレイバック画像の要求を受信する（Ｓ２１）と、関係付けられているプレイバック画像をロビーインターホン２０に送信する（Ｓ２２）。具体的には、制御部４２は、通信部４３を介してプレイバック画像の要求を受信すると、記憶部４４に記憶されている画像の中から、現在インターホン親機６０に表示されている画像（撮像部２２が撮像した画像）に関係付けられた画像（撮像装置３０が撮像した画像であって、例えば、図６に示す静止画像Ｃ１〜Ｃｎ）を読み出す。制御部４２は、通信部４３を介して受信したプレイバック画像を特定するための情報に基づいて特定される画像を記憶部４４から読み出す。そして、制御部４２は、通信部４３を介して読み出した画像（つまり、プレイバック画像）をロビーインターホン２０に送信する。
【００６９】
ロビーインターホン２０は、プレイバック画像をカメラアダプタ４０から受信する（Ｓ２３）と、当該プレイバック画像とライブ画像とを合成して合成画像を生成する（Ｓ２４）。具体的には、制御部２６は、撮像装置３０が撮像した画像であるプレイバック画像と撮像部２２が撮像した画像であるライブ画像とを合成する。制御部２６が行う画像合成の方法は特に限定されないが、例えば、プレイバック画像とライブ画像とを並べて１つの画面上に同時に表示させるように画像を合成する。制御部２６は、合成画像を生成すると、当該合成画像をインターホン親機６０に送信する（Ｓ２５）。具体的には、制御部２６は、通信部２７を介して、合成画像に対応した画像信号をインターホン親機６０に送信する。
【００７０】
インターホン親機６０は、ロビーインターホン２０から合成画像を受信する（Ｓ２６）と、当該合成画像を表示部６３に表示する（Ｓ２７）。具体的には、制御部６２は、合成画像に対応する画像信号を通信部６１を介して受信すると、受信した画像信号に対応する画像を表示部６３に表示する。
【００７１】
図７Ｂは、本実施の形態に係るインターホン親機６０の表示部６３に表示される合成画像の一例を示す図である。
【００７２】
図７Ｂでは、合成画像の一例として、プレイバック画像とライブ画像とを横に並べて同時に表示している例を示している。言い換えると、表示部６３は、ロビーインターホン２０の撮像部２２が撮像した画像（ライブ画像）と、ロビーインターホン２０が撮像した画像よりも過去の時点に撮像装置３０が撮像した画像（プレイバック画像）とを共に表示する。なお、共に表示するとは、ライブ画像とプレイバック画像とを、一画面上に同時に表示することを意味する。
【００７３】
これにより、居住者は、訪問者が呼出操作を行ってから所定期間前の玄関１００の様子を確認することができるので、ライブ画像に訪問者が映っていない場合であっても、プレイバック画像に動線ｆに沿って進む訪問者ｈを確認することができる。また、居住者は、ライブ画像により、ロビーインターホン２０の前方の撮像範囲Ｒ１の現在の様子を確認することができる。
【００７４】
なお、本実施の形態では、プレイバック画像は複数の静止画像から構成される動画像である。制御部６２は、例えば、動画像であるプレイバック画像を所定の倍速で早送りして表示部６３に表示させてもよい。つまり、制御部６２は、プレイバック画像を早送り再生してもよい。また、制御部６２は、動画像であるプレイバック画像を繰り返し表示してもよい。また、制御部６２は、動画像であるプレイバック画像を再生中に入力受付部６５を介して一時停止の操作を取得すると、ライブ画像およびプレイバック画像のうち、プレイバック画像のみを一時停止してもよい。
【００７５】
なお、合成画像は、図７Ｂに示す画像に限定されない。例えば、図７Ｂでは、ライブ画像とプレイバック画像とを略等しい面積で表示している例について説明したが、表示の仕方はこれに限定されない。以下、合成画像の他の例について、図８Ａおよび図８Ｂを参照しながら説明する。
【００７６】
図８Ａは、本実施の形態に係るインターホン親機６０の表示部６３に表示される合成画像の他の一例を示す図である。
【００７７】
図８Ａでは、表示部６３は、ライブ画像をプレイバック画像の一部に重ねて表示してもよい。つまり、プレイバック画像には、ライブ画像を表示する領域が設けられる。表示部６３は、例えば、ライブ画像を表示する面積が、プレイバック画像を表示する面積より小さくなるようにライブ画像を表示してもよい。また、表示部６３は、例えば、ライブ画像を表示部６３の表示面の外周に近い位置に表示させてもよい。なお、ライブ画像をプレイバック画像の一部に重ねて表示させる画像は、合成画像の一例である。
【００７８】
なお、表示部６３が表示する合成画像は、プレイバック画像とライブ画像とを並べて表示することに限定されない。表示部６３が表示する合成画像の他の例について、図８Ｂを参照しながら説明する。
【００７９】
図８Ｂは、本実施の形態に係るインターホン親機６０の表示部６３に表示される合成画像の他の一例を示す図である。
【００８０】
図８Ｂでは、プレイバック画像とライブ画像とを時系列に結合して表示部６３に表示する例を示している。つまり、プレイバック画像とライブ画像とが同時に表示されなくてもよい。図８Ｂでは、時系列に結合されたプレイバック画像及びライブ画像のうちのプレイバック画像の再生途中である例を示している。合成画像は、プレイバック画像の再生が終了すると、ライブ画像に遷移する。なお、プレイバック画像の再生においては、入力受付部６５（例えば、タッチパネル）を操作して早送り再生してもよい。また、早戻しまたは一時停止などが行われてもよい。また、ライブ画像とプレイバック画像とを時系列に結合した画像は、合成画像の一例である。
【００８１】
上記の図８Ａおよび図８Ｂに示す合成画像の生成は、例えば、ロビーインターホン２０が備える制御部２６により実行される。制御部２６は、撮像部２２からライブ画像を取得し、カメラアダプタ４０からプレイバック画像を取得し、当該ライブ画像とプレイバック画像とを合成する画像処理を行う。そして、画像処理後の画像に対応する画像信号を、制御装置５０を経由して、インターホン親機６０に送信する。
【００８２】
図５を再び参照して、居住者は、表示部６３に表示された合成画像を確認し、通話操作を行う（Ｓ２８）ことで、ロビーインターホン２０とインターホン親機６０とが通話する通話状態となる（Ｓ２９）。通話操作は、訪問者との通話を開始する操作であり、インターホン親機６０の入力受付部６５を介して取得されてもよいし、入音部６４ａを介して取得されてもよい。インターホン親機６０は、居住者により通話を開始することを示すボタン操作が行われることで、通話操作を取得してもよいし、入音部６４ａにより取得された居住者の音声を解析することで通話操作を取得してもよい。
【００８３】
なお、図５では、訪問者がロビーインターホン２０を操作したときにプレイバック画像が使用される例について説明したが、例えば、訪問者が訪問してきていないときにプレイバック画像が使用されてもよい。所定期間内（例えば、１日など）に訪問してきた訪問者を、訪問してきた時点より後に確認したい場合などがあり得る。その時にもプレイバック画像を使用することができる。プレイバック画像を使用する他の例について、図９を参照しながら説明する。
【００８４】
図９は、実施の形態に係るインターホンシステム１０の動作の他の一例を示すシーケンス図である。なお、図９では、１回以上の呼出操作が行われ、当該１回以上の呼出操作のそれぞれにおいてインターホン親機６０が受信した画像であって、撮像部２２が撮像した画像が記憶部６６に記憶されている場合について示している。つまり、記憶部６６には、１以上の画像（例えば、１以上のライブ画像）が記憶されている。なお、ここでの複数回の呼出操作とは、異なる訪問者による呼出操作であってもよいし、異なる時刻に行われた呼出操作であってもよい。
【００８５】
インターホン親機６０は、居住者から画像の操作を取得する（Ｓ３１）と、画像の一覧を表示する（Ｓ３２）。具体的には、制御部６２は、入力受付部６５が居住者から画像の一覧を表示する操作を取得すると、記憶部６６に記憶されている画像（例えば、ライブ画像）の一覧を表示部６３に表示する。制御部６２は、所定期間内（例えば、１日）に撮像された１以上の画像の一覧を表示する。制御部６２は、動画像の一覧を表示してよいし、静止画像を表示してもよい。
【００８６】
なお、制御部６２は、画像が記憶部６６に記憶されておらずロビーインターホン２０の記憶部２８に記憶されている場合、通信部６１を介して画像の一覧を送信する要求をロビーインターホン２０に行ってもよい。ロビーインターホン２０は、記憶部２８が記憶している画像のうち、居住者の居室への呼出操作に対応する画像を、通信部２７を介してインターホン親機６０に送信してもよい。
【００８７】
インターホン親機６０は、居住者から画像の選択を取得する（Ｓ３３）と、選択された画像に対応するプレイバック画像の呼出を送信する（Ｓ３４）。具体的には、制御部６２は、入力受付部６５を介して居住者からプレイバック画像を表示する画像の選択を取得すると、通信部６１を介して当該画像に関係付けられたプレイバック画像の呼出（呼出の要求）をロビーインターホン２０に送信する。ここでのプレイバック画像の呼出とは、ロビーインターホン２０がインターホン親機６０に、ステップＳ３３で選択された画像に関係付けられたプレイバック画像を送信する要求である。
【００８８】
また、表示部６３にロビーインターホン２０が撮像した１以上の画像の一覧を表示した状態において、いずれかの画像を選択する操作は、所定の操作の一例である。
【００８９】
ステップＳ３５〜Ｓ４３は、図５に示すステップＳ１９〜Ｓ２７と同様であり、説明を省略する。なお、制御部２６は、記憶部２８に記憶されている撮像部２２が撮像した画像（ライブ画像）と、カメラアダプタ４０が記憶する撮像装置３０が撮像した画像（プレイバック画像）とを合成することで合成画像を生成して（Ｓ４０）、インターホン親機６０に送信する（Ｓ４１）。なお、制御部２６は、合成画像を生成しなくてもよい。制御部２６は、カメラアダプタ４０からプレイバック画像を受信すると、受信したプレイバック画像をインターホン親機６０に送信してもよい。この場合、制御部６２は、受信したプレイバック画像と、記憶部６６に記憶されている撮像部２２が撮像した画像とを合成することで合成画像を生成して表示部６３に表示してもよいし、受信したプレイバック画像のみを表示部６３に表示してもよい。
【００９０】
また、上記では、撮像部２２が撮像した画像に訪問者が映っていない場合を説明したが、以下に撮像部２２が撮像した画像に訪問者が映っている場合について説明する。この場合、制御部４２は、撮像装置３０が撮像した画像のうち、撮像部２２が撮像した画像に含まれる訪問者に関連性のある人物を含む画像を、撮像部２２が撮像した画像と関連付けて記憶部４４に記憶してもよい。または、制御部４２は、撮像装置３０が撮像した画像のうち、撮像部２２が撮像した画像に含まれる訪問者の顔に関連性のある人物の顔を含む画像を、撮像部２２が撮像した画像と関連付けて記憶部４４に記憶してもよい。なお、関連性のある人物とは、例えば、訪問者と同一人物または同一人物である可能性が高い人物である。
【００９１】
具体的には、制御部２６は、撮像部２２が撮像した画像をカメラアダプタ４０に送信する。カメラアダプタ４０の制御部４２は、撮像部２２が撮像した画像を受信すると、受信した画像の画像解析を行い、当該画像に含まれる訪問者または当該訪問者の顔の特徴量を抽出する。なお、画像解析の方法は、特に限定されない。そして、制御部４２は、撮像装置３０が撮像した画像のうち、画像解析により抽出された訪問者または当該訪問者の顔の特徴量を含む人物が撮像された画像を撮像部２２が撮像した画像と関連付けて記憶部４４に記憶してもよい。
【００９２】
これにより、図９に示すステップＳ３８でカメラアダプタ４０からロビーインターホン２０に送信されるプレイバック画像は、訪問者が映っている画像となる。撮像装置３０が撮像した画像に複数の居住者に対する複数の訪問者が含まれている場合に、当該居住者は、当該居住者に対応する訪問者が映っている画像を容易に取得することができる。
【００９３】
なお、制御部４２は、インターホン子機７０が撮像部を備えている場合、当該インターホン子機７０の撮像部が撮像した画像と撮像装置３０から取得した画像とを関係付けて記憶部４４に記憶してもよい。インターホン子機７０が撮像した画像は、インターホン親機６０を介してカメラアダプタ４０に出力されてもよい。
【００９４】
なお、上記に示したインターホンシステム１０の動作において、インターホン親機６０が行う動作は、管理室親機が行ってもよい。管理室親機は、制御装置５０と通信するための通信部、画像を表示するための表示部、制御装置５０を介してロビーインターホン２０及びインターホン親機６０と通話するための通話部、管理室の管理人の操作を受け付けるユーザインターフェースである入力受付部、及び、管理室親機の各構成要素を制御する制御部などを有する。管理室親機は、情報端末の一例である。
【００９５】
［３．効果など］
以上説明したように、本実施の形態に係るインターホンシステム１０は、ロビーインターホン２０とは別途設置される撮像装置３０が撮像した画像を取得する画像入力部４１と、ロビーインターホン２０が撮像した画像と、撮像装置３０が撮像した画像とを関連付けて呼び出し可能な状態で記憶する記憶部４４とを備える。
【００９６】
これにより、記憶部４４には、撮像装置３０が撮像した画像（プレイバック画像）が、撮像部２２が撮像した画像（ライブ画像）と関連付けて記憶される。居住者は、撮像部２２が撮像した画像に訪問者が映っていない場合であっても、撮像部２２と別に設置された撮像装置３０が撮像した画像を確認することで、訪問者を確認することができる。よって、本実施の形態に係るインターホンシステム１０は、訪問者をより確実に確認することができる。また、撮像部２２が撮像した画像に訪問者が映っていない場合に、訪問者と対面することなく訪問者を確認することができるので、インターホンシステム１０のセキュリティを向上させることができる。
【００９７】
また、撮像装置３０の撮像範囲Ｒ２は、ロビーインターホン２０の撮像部２２の撮像範囲Ｒ１と異なる範囲を有する。
【００９８】
これにより、撮像部２２と別に設置された撮像装置３０が撮像した画像に訪問者が映っている可能性を向上させることができる。よって、本実施の形態に係るインターホンシステム１０は、訪問者をさらに確実に確認することができる。
【００９９】
また、撮像装置は３０、訪問者がロビーインターホン２０に至るまでの経路において、ロビーインターホン２０よりも経路の手前側を撮像可能に設置される。
【０１００】
これにより、撮像装置３０は、訪問者がロビーインターホン２０に至るまでの経路（例えば、図４に示す動線ｆ）において、当該訪問者を撮像することができる。つまり、撮像装置３０は、訪問者がロビーインターホン２０に到達するまでに通過すると予測される位置を撮像するので、撮像装置３０が撮像した画像に訪問者が映っている可能性をさらに向上させることができる。よって、本実施の形態に係るインターホンシステム１０は、訪問者をさらに確実に確認することができる。
【０１０１】
また、ロビーインターホン２０が撮像した画像に関連付けて呼び出し可能な状態で記憶された、撮像装置３０が撮像した画像は、ロビーインターホン２０が所定の動作を行った時点から所定期間内に撮像装置３０が撮像した画像である。
【０１０２】
これにより、ロビーインターホン２０が所定の動作を行った時点から過去の時点に撮像装置３０が撮像した画像が、撮像部２２が撮像した画像と関係付けられる。つまり、互いに撮像された時刻が異なる撮像が、関係付けられる。互いに撮像された時刻が異なる２つの画像を用いることで、訪問者をさらに確実に確認することができる。
【０１０３】
また、所定の動作は、ロビーインターホン２０の撮像の開始を含む。
【０１０４】
これにより、ロビーインターホン２０の撮像部２２が撮像を開始するより前に撮像装置３０が撮像した画像を、当該撮像部２２が撮像した画像と関連付けて記憶することができる。
【０１０５】
また、所定の動作は、ロビーインターホン２０に対する操作の受付を含む。
【０１０６】
これにより、ロビーインターホン２０の操作受付部２１が所定の操作（例えば、訪問する居住者の部屋番号の入力操作または呼び出しボタンの操作）を受け付けるより前に撮像装置３０が撮像した画像を、撮像部２２が撮像した画像と関連付けて記憶することができる。
【０１０７】
また、所定期間を設定する入力受付部６５を、さらに有する。
【０１０８】
これにより、所定期間を適切に設定または変更することができる。
【０１０９】
また、ロビーインターホン２０が撮像した画像に関連付けて呼び出し可能な状態で記憶された、撮像装置３０が撮像した画像は、ロビーインターホン２０が撮像した画像に含まれる訪問者または当該訪問者の顔に関連性のある訪問者または当該訪問者の顔を含む画像である。
【０１１０】
これにより、ロビーインターホン２０の撮像部２２が撮像した画像に訪問者が映っている場合、当該訪問者と撮像装置３０が撮像した画像とが対応付けて記憶されるので、居住者は、撮像装置３０が撮像した画像のうち、訪問者が映っている画像を容易に取得することができる。撮像部２２が撮像した画像に訪問者が複数映っている場合、居住者は所望の訪問者の画像を容易に取得することができるので、インターホンシステム１０の利便性が向上する。
【０１１１】
また、以上説明したように、本実施の形態に係るインターホン親機６０（情報端末の一例）は、ロビーインターホン２０が撮像した画像およびロビーインターホン２０とは別途設置される撮像装置３０が撮像した画像を表示する表示部６３を備える。そして、表示部６３は、ロビーインターホン２０が撮像した画像を表示した状態において、所定の操作を受け付けたとき、ロビーインターホン２０が撮像した画像に関連付けられた、撮像装置３０が撮像した画像を表示する。
【０１１２】
これにより、居住者は、ロビーインターホン２０の撮像部２２が撮像した画像に訪問者が映っていない場合に、撮像部２２とは別途設置される撮像装置３０が撮像した画像により訪問者を確認することができる。
【０１１３】
また、所定の操作は、表示部６３に、ロビーインターホン２０が撮像した１以上の画像の一覧を表示した状態において、いずれかの画像を選択する操作である。
【０１１４】
これにより、居住者は、訪問者が訪問した後においても、撮像部２２が撮像した画像に関連付けられた画像（例えば、プレイバック画像）を確認することができる。
【０１１５】
また、表示部６３は、ロビーインターホン２０が撮像した画像と、ロビーインターホン２０が撮像した画像に関連付けられた、撮像装置３０が撮像した画像とを共に表示する。
【０１１６】
これにより、居住者は現在のロビーインターホン２０の前方の画像と、撮像装置３０が撮像した画像とを両方確認することができるので、訪問者の確認をより容易に行うことができる。例えば、撮像装置３０が撮像した画像のみを表示する場合、ロビーインターホン２０の撮像部２２が訪問者を撮像していたとしても、それを見逃してしまうことが起こりえる。一方、上記のように、両方の画像を１画面上に表示することで、訪問者の見逃しを抑制することができる。
【０１１７】
また、表示部６３は、ロビーインターホン２０が撮像した画像と、ロビーインターホン２０が撮像した画像よりも過去の時点に撮像装置３０が撮像した画像とを共に表示する。
【０１１８】
これにより、互いに異なる時刻に撮像された画像が表示されるので、居住者は、より確実に訪問者を確認することができる。
【０１１９】
また、撮像装置３０が撮像した画像は動画像であり、表示部６３は、動画像を早送り表示する。
【０１２０】
これにより、居住者が訪問者を確認するのに要する時間を短縮することができる。
【０１２１】
また、撮像装置３０が撮像した画像は動画像であり、表示部６３は、動画像を繰り返し表示する。
【０１２２】
これにより、居住者に同じ動画像を複数回見せることで、居住者が訪問者を見逃してしまうことを抑制することができる。
【０１２３】
（実施の形態の変形例）
以下、実施の形態の変形例に係るインターホンシステムについて、図１０を参照しながら説明する。なお、本変形例では、実施の形態との相違点を中心に説明する。実施の形態に係るインターホンシステム１０と構成は同様であり、説明を省略する。また、以下において、実施の形態の図５を適宜用いて説明する。
【０１２４】
本変形例では、図５のステップＳ１１に示す撮像部２２が撮像を開始するトリガが異なる。本変形例では、センサ部２３が訪問者を検知したことをトリガとして、撮像部２２が撮像を開始する。具体的には、撮像部２２は、ロビーインターホン２０が設置された空間（例えば、図４に示す玄関１００）における訪問者をセンサ部２３が検知したことをトリガとして、撮像を開始する。つまり、撮像部２２は、訪問者がロビーインターホン２０の操作受付部２１を操作する前に、撮像を開始する。制御部２６は、撮像部２２が撮像した画像を記憶部２８に記憶する。なお、センサ部２３が訪問者を検知することは、ロビーインターホン２０が行う所定の動作の一例である。
【０１２５】
撮像装置３０の撮像範囲は、センサ部２３の訪問者を検知する検知範囲とは異なる範囲を有する。言い換えると、撮像装置３０の撮像範囲とセンサ部２３の検知範囲とは、少なくとも一部が異なる範囲である。撮像装置３０の撮像範囲とセンサ部２３の検知範囲とは、異なる範囲であってもよい。なお、センサ部２３の検知範囲は、訪問者がロビーインターホン２０の操作受付部２１の操作を開始する前の数秒間を撮像することができる範囲であればよい。
【０１２６】
本変形例において、図５に示すステップＳ１２では、制御部２６は、センサ部２３が訪問者を検知したこと（つまり、撮像部２２が撮像を開始したこと）を示す信号を、通信部２７を介してカメラアダプタ４０に送信する。カメラアダプタ４０は、当該信号を受信することで、撮像装置３０が撮像した画像と、撮像部２２が撮像した画像とを関係付けることができる。また、図５に示すステップＳ１２では、制御部２６は、画像信号として、撮像部２２によって撮像された画像（つまり、ライブ画像）に対応する信号を、通信部２７を介してインターホン親機６０に送信する。ステップＳ１４〜Ｓ２３までの処理は、実施の形態と同様で有り、説明を省略する。
【０１２７】
図５に示すステップＳ２４において、制御部２６は、プレイバック画像を用いて合成画像を生成する。本変形例において生成される合成画像の一例について、図１０を参照しながら説明する。
【０１２８】
図１０は、本変形例に係るインターホン親機６０の表示部６３に表示される合成画像の一例を示す図である。
【０１２９】
図１０に示すように、本変形例における合成画像は、撮像部２２が撮像した画像であって、操作受付部２１が操作されるよりも過去に撮像された画像（図１０に示す第一のプレイバック画像）と、撮像装置３０が撮像した画像（図１０に示す第二のプレイバック画像）とが並んで表示される。表示部６３には、訪問者がロビーインターホン２０の操作受付部２１を操作するより前に撮像部２２および撮像装置３０が撮像した画像が表示される。つまり、表示部６３には、互いに撮像範囲の少なくとも一部が異なる画像であって、現時点より過去の画像が並んで表示される。
【０１３０】
第一のプレイバック画像は、記憶部２８に記憶されており、第二のプレイバック画像は記憶部４４に記憶されていてもよい。記憶部４４は、第二のプレイバック画像を第一のプレイバック画像と関係付けて記憶する。
【０１３１】
なお、図１０では、第一のプレイバック画像と第二のプレイバック画像とが略等しい大きさで表示されている例を示しているが、大きさは略等しいことに限定されない。また、図１０では、ライブ画像が表示されない例を示しているが、合成画像にライブ画像が含まれていてもよい。本変形例に係る合成画像には、ライブ画像、第一のプレイバック画像、および、第二のプレイバック画像のうち、少なくとも２つ以上の画像が含まれていればよい。
【０１３２】
以上説明したように、本実施の形態に係るインターホンシステム１０における、所定の動作は、ロビーインターホン２０が設置された空間における訪問者の検知を含む。
【０１３３】
これにより、撮像部２２は訪問者が操作受付部２１を操作するよりも前に撮像を開始することができる。つまり、居住者は、撮像部２２が撮像した過去の画像（例えば、訪問者が操作受付部２１を操作するよりも前に撮像部２２が撮像した画像）を用いて訪問者を確認することができる。よって、本変形例に係るインターホンシステム１０は、訪問者をさらに確実に確認することができる。
【０１３４】
（その他の実施の形態）
以上、実施の形態について説明したが、本発明は、上記実施の形態に限定されるものではない。
【０１３５】
例えば、上記実施の形態では、情報端末としてインターホン親機が例示されたが、情報端末は、スマートフォンまたはタブレット端末などの携帯端末であってもよい。
【０１３６】
また、上記実施の形態において、特定の処理部が実行する処理を別の処理部が実行してもよい。例えば、インターホン親機によって行われる情報処理の一部または全部は、インターホンシステムが備えるインターホン親機以外の装置またはシステム（具体的には、ロビーインターホンまたは制御装置）によって行われてもよい。ロビーインターホンによって行われる情報処理、制御装置によって行われる情報処理についても同様である。
【０１３７】
また、上記実施の形態では、インターホンシステムは、集合住宅用のシステムであったが、戸建住宅用のシステムであってもよい。
【０１３８】
また、上記実施の形態における装置間の通信方法については特に限定されるものではない。装置間では、無線通信が行われてもよいし、有線通信が行われてもよい。また、装置間では、無線通信及び有線通信が組み合わされてもよい。
【０１３９】
また、上記実施の形態では、カメラアダプタの記憶部に記憶されているプレイバック画像は動画像である例について説明したが、静止画像であってもよい。
【０１４０】
また、上記実施の形態では、インターホン親機は、プレイバック画像の呼出操作を行った後、プレイバック画像とライブ画像とを合成した画像を表示部に表示する例について説明したが、これに限定されない。インターホン親機は、例えば、プレイバック画像の呼出操作を行った後、プレイバック画像のみを表示してもよい。具体的には、ロビーインターホンは、インターホン親機からプレイバック画像の呼出を受信すると、カメラアダプタからプレイバック画像を受信し、受信したプレイバック画像のみをインターホン親機に送信してもよい。言い換えると、ロビーインターホンが備える制御部は、画像の合成を行わなくてもよい。また、画像の合成を行わない場合、カメラアダプタから制御装置を中継して直接インターホン親機にプレイバック画像が送信されてもよい。
【０１４１】
また、上記実施の形態では、所定期間は動線などに基づいて予め設定されている例について説明したが、これに限定されない。例えば、居住者は、プレイバック画像の呼出操作を行った際、合わせて所定期間を入力してもよい。つまり、所定期間は、プレイバック画像の呼出操作を行うたびに設定されてもよい。
【０１４２】
また、上記実施の形態のシーケンス図で説明された処理の順序は、一例である。複数の処理の順序は変更されてもよいし、複数の処理は並行して実行されてもよい。
【０１４３】
また、上記実施の形態において、制御部などの構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１４４】
また、制御部などの構成要素は、ハードウェアによって実現されてもよい。例えば、制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１４５】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【０１４６】
例えば、本発明は、上記実施の形態のインターホンシステム又は情報端末が行う処理をコンピュータに実行させるためのプログラムとして実現されてもよい。このようなプログラムには、スマートフォンまたはタブレット端末などの携帯端末にインストールされるアプリケーションプログラムが含まれる。また、本発明は、このようなプログラムが記録されたコンピュータ読み取り可能な非一時的な記録媒体として実現されてもよい。
【０１４７】
また、上記実施の形態で説明されたインターホンシステムは、単一の装置として実現されてもよいし、複数の装置によって実現されてもよい。インターホンシステムが複数の装置によって実現される場合、上記実施の形態で説明されたインターホンシステムが備える構成要素は、複数の装置にどのように振り分けられてもよい。
【０１４８】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１４９】
１０    インターホンシステム
２０    ロビーインターホン（インターホン玄関装置）
２２    撮像部
３０    撮像装置
４１    画像入力部（取得部）
４４    記憶部
６０    インターホン親機（情報端末）
６３    表示部
６５    入力受付部（設定部）
７０    インターホン子機
ｈ    訪問者
Ｒ１、Ｒ２    撮像範囲
【図１】
2019193231.tif 000003
【図２】
2019193231.tif 000004
【図３】
2019193231.tif 000005
【図４】
2019193231.tif 000006
【図５】
2019193231.tif 000007
【図６】
2019193231.tif 000008
【図７Ａ】
2019193231.tif 000009
【図７Ｂ】
2019193231.tif 000010
【図８Ａ】
2019193231.tif 000011
【図８Ｂ】
2019193231.tif 000012
【図９】
2019193231.tif 000013
【図１０】
2019193231.tif 000014